(57)【特許請求の範囲】
【請求項１】
印判を保持し、所定の位置に当該印判を押印する印刷システムにおいて、
後処理機に、
当該後処理機に搭載している印判の識別情報を登録する手段と、
プリンタ装置からの印判の識別情報の問い合わせ要求に対して、当該後処理機が搭載している印判の識別情報を通知する手段とを設け、
プリンタ装置に、
後処理機が搭載している印判の識別情報を問い合わせる手段と、
後処理機より受信した当該後処理機が搭載している印判の識別情報と、予めプリンタ装置に登録しておいた後処理機が搭載している印判の識別情報とを照合し、一致しているかどうか判定する手段と、
前記照合結果を表示する手段と、
前記表示された照合結果が一致しない場合に、後処理機に当該照合結果が一致しない印判の押印指示を送信する手段と、
前記押印指示を送信したことに対応して、前記後処理機が押印したテスト印判について良のときはそのまま、否のときは印判を再取り付け後に、印判確認完了スイッチが押下されたか判別する手段と、
前記印判確認完了スイッチが押下されたと判別された場合に、当該プリンタ装置の識別情報を、前記後処理機から受信した識別情報に更新する手段と
を設けたことを特徴とする印刷システム。
【請求項２】
上位装置からの印判確認指示を受け付ける手段と、
上位装置からの印判確認指示に応じて、印刷システムに備えられた表示装置に対して印刷確認要求を出力する手段と、
後処理機に対して印判の押印指示を送信する手段と
を有することを特徴とする請求項１記載の印刷システム。
【請求項３】
後処理機に印判を保持し、所定の位置に当該印判を押印する印刷システムにおいて、
後処理機に、
当該後処理機の識別情報を登録する手段と、
プリンタ装置からの後処理機の識別情報の問い合わせ要求に対して、当該後処理機の識別情報を通知する手段とを設け、
プリンタ装置に、
後処理機の識別情報を問い合わせる手段と、
後処理機より受信した当該後処理機の識別情報と、予めプリンタ装置に登録しておいた後処理機の識別情報とを照合し、一致しているかどうか判定する手段と、
前記照合結果を表示する手段と、
前記表示された照合結果が一致しない場合に、後処理機に印判の押印指示を送信する手段と、
前記押印指示を送信したことに対応して、前記後処理機が押印したテスト印判について良のときはそのまま、否のときは印判を再取り付け後に、印判確認完了スイッチが押下されたか判別する手段と、
前記印判確認完了スイッチが押下されたと判別された場合に、当該プリンタ装置の識別情報を、前記後処理機から受信した識別情報に更新する手段とを設けたことを特徴とする印刷システム。
【発明の詳細な説明】
【０００１】
【発明の属する技術分野】
本発明は、印判を保持し、所定の位置に当該印判を押印する印刷システムに関するものである。
プリンタ装置、特にレーザビームプリンタ装置は、近年あらゆる事務処理分野に浸透し、爆発的に市場を広げている。その利用分野にはレーザビームプリンタ装置の印刷物への押印が必要となる業務がある。押印処理は、一般に重要度が高く、その処理を行う後処理機に搭載される印判が適切であるかのチェックを容易に行うことが望まれている。
【０００２】
【従来の技術】
従来、プリンタ例えばレーザビームプリンタ装置が後処理機に搭載されている印判について適切であるかのチェックは、オペレータに一任されており、レーザビームプリンタ装置側からのチェックを要求するタイミングすらない状況であった。
【０００３】
【発明が解決しようとする課題】
上述の印判が適切であるかのチェックがオペレータに一任されていたため、下記の問題があった。
【０００４】
（１）  オペレータ依存度が高く、保守員が装置の入替えなどの作業をした場合、適切な印判の移動が成されたかのオペレータチェックを受けられないという問題があった。
【０００５】
（２）  レーザビームプリンタ装置に接続された後処理機に搭載された印判を全数交換する必要が発生した場合、印判の交換が確実に実施されたかのオペレータチェックを受けられないという問題があった。
【０００６】
（３）  後処理機自体に印判の有無や適切な印判の装着を確認できる機能を持たせたのでは、コスト的およびスペース的に実現が難しいという問題があった。
本発明は、これらの問題を解決するため、押印する押印装置の交換や印判の交換などがされたときにプリンタ装置側からチェック可能とすると共に印判テスト印刷させたりし、簡易な構成で印判チェックを実現することを目的としている。
【０００７】
【課題を解決するための手段】
図１を参照して課題を解決するための手段を説明する。
図１において、上位装置１は、プリンタ装置２を指示して各種印刷させるものであって、ここでは、印判テスト指示するものである。
【０００８】
プリンタ装置２は、上位装置１からの指示に従い各種印刷するものであって、ここでは、押印装置である後処理機５に問い合わせて通知されたＩＤを表示したり、印判をテスト印刷させたりなどするものである。
【０００９】
後処理機５は、押印装置であって、印判を押印したりなどするものである。
次に、動作を説明する。
押印装置である後処理機５が印判に対応する識別情報を登録し、プリンタ装置２などからの登録している識別情報の問い合わせに対して識別情報を通知するようにしている。
【００１０】
また、プリンタ装置２が押印装置である後処理機５が保持している印判に対応する識別情報を問い合わ、  押印装置から通知された識別情報を出力するようにしている。
【００１１】
また、プリンタ装置２が後処理機５である押印装置が保持している印判に対応する識別情報を問い合わせ、押印装置から通知された識別情報と予め登録している識別情報とを照合し、その照合結果を出力するようにしている。
【００１２】
また、プリンタ装置２が後処理機５である押印装置が保持している印判に対応する識別情報を問い合わせ、押印装置から通知された識別情報と予め登録している識別情報とを照合し、情報が一致しない場合に、押印装置に印判の押印を指示するようにしている。
【００１３】
また、プリンタ装置２が上位装置１からの印判確認指示に基づき、オペレータに対する印判確認要求を出力し、後処理機５である押印装置に印判の押印を指示するようにしている。
【００１４】
従って、押印する後処理機５の交換や印判の交換などがされたときにプリンタ装置２側からチェック可能とすると共に印判テスト印刷させたりすることにより、簡易な構成で印判チェックすることが可能となった。
【００１５】
【発明の実施の形態】
次に、図１から図４を用いて本発明の実施の形態および動作を順次詳細に説明する。
【００１６】
図１は、本発明の１実施例構成図を示す。
図１において、プリンタ装置２は、上位装置１から指示された各種印刷するものであって、ここでは、後処理機５に問い合わせて通知されたＩＤを表示したり印判をテスト印刷させたりなどするものであり、プリンタ装置コントローラ３およびオペレータパネル４などから構成されるものである。
【００１７】
プリンタ装置コントローラ３は、プリンタを制御するものであって、３１ないし３７から構成されるものである。
インタフェース制御ポート３１は、上位装置１との間でデータの授受を行うものである。
【００１８】
オペレータパネル制御部３２は、オペレータパネル４に表示したり、入力されたデータや指示を取り込んだりなどするものである。
後処理機制御ポート３３は、後処理機５との間でデータの授受を行うものである。
【００１９】
ＥＥＰＲＯＭ３４は、電気的に読み書きでき、電源が切れてもデータを保持するメモリであって、ここでは、後処理機５のＩＤなどを登録して保持するものである。
【００２０】
ＲＡＭ３５は、ランダムアクセス可能なメモリであって、データやプログラムなどを格納するものである。
ＲＯＭ３６は、リードオンリーメモリであって、プログラムなどを予め格納するものである。
【００２１】
ＭＰＵ３７は、マイクロプロセッサであって、ＲＯＭ３６およびＲＡＭ３５に格納されたプログラムに従って各種制御を行うものである。
オペレータパネル４は、オペレータが各種データや指示を入力したり、その結果を表示したりなどするものである。
【００２２】
後処理機５は、押印装置などのように印判を押印するものであって、ここでは、後処理機コントローラ６、設定パネル７、および後処理機メカ部８などから構成されるものである。
【００２３】
後処理機コントローラ６は、後処理機メカ部８を制御して印判を押印などするものであって、６１ないし６７から構成されるものである。
インタフェース制御ポート６１は、プリンタ装置コントローラ３との間でデータの授受を行うものである。
【００２４】
設定パネル制御部６２は、設定パネル７を制御するものであって、設定パネル７から入力されたデータや指示を読み取ったり、その結果などを表示したりするものである。
【００２５】
メカ制御ポート６３は、後処理機メカ部８を制御して印判を押印させたりなどするものである。
ＥＥＰＲＯＭ６４は、電気的に読み書きしでき、電源が切れてもデータを保持するメモリであって、ここでは、後処理機５のＩＤなどを登録して保持するものである。
【００２６】
ＲＡＭ６５は、ランダムアクセス可能なメモリであって、データなどを格納するものである。
ＲＯＭ６６は、リードオンリーメモリであって、プログラムなどを予め格納するものである。
【００２７】
ＭＰＵ６７は、マイクロプロセッサであって、ＲＯＭ６６に格納されたプログラムに従って各種制御を行うものである。
設定パネル７は、各種データや指示などを入力（設定）するものである。
【００２８】
後処理機メカ部８は、用紙に印判を押印したりなどするものである。
次に、図２に示す順番に従い、図１の構成の動作を詳細に説明する。
図２は、本発明の動作説明フローチャートを示す。ここで、レーザビームプリンタは図１のプリンタ装置に対応し、後処理機は図１の後処理機５に対応するものである。
【００２９】
図２において、Ｓ１は、後処理機のデフォルトＩＤ“００”を登録する。これは、後処理機５のデフォルトＩＤとして、レーザビームプリンタ（図１のプリンタ装置２）のＥＥＰＲＯＭ３４内にＩＤ＝００を初期値として登録する。
【００３０】
Ｓ２１は、後処理機のＩＤを登録する。ここでは、後処理機のＩＤとして例えば“１０”を登録する。
Ｓ２、Ｓ２２は、電源を投入する。
【００３１】
Ｓ２３は、後処理機５がＩＤを通知する。ここでは、Ｓ２１で登録したＩＤ“１０”をレーザビームプリンタ（プリンタ装置２）に通知する。
Ｓ２４は、後処理機のＩＤを読み込む。ここでは、Ｓ２３で通知された後処理機５のＩＤ“１０”を読み込む。
【００３２】
Ｓ４は、読み込んでＩＤを表示する。
Ｓ５は、登録ＩＤ＝読み込みＩＤか判別する。これは、Ｓ１で予め登録したＩＤと、Ｓ３、Ｓ４で後処理機５から読み込んでＩＤとが等しいか判別する。最初は、上記例では登録ＩＤ“００”であり、読み込みＩＤ“１０”であるので、ＮＯとなり、Ｓ６に進む。一方、ＹＥＳの場合には、登録ＩＤと読み込みＩＤとが等しいと判明したので、終了する。
【００３３】
Ｓ６は、Ｓ５のＮＯで登録ＩＤと読み込みＩＤとが等しくないと判明したので、後処理機５の印判確認メッセージを表示する。
Ｓ７は、現調時か判別する。これは、当初レーザビームプリンタを搬入して現調する場合か判別する。ＹＥＳの場合には、Ｓ１２で保守員およびオペレータが印判確認完了スイッチを押下し、Ｓ１３で読み取りＩＤを登録ＩＤとしてセット、即ち図１のＥＥＰＲＯＭ３４に読み取りＩＤ（後処理機５から読み取った例えばＩＤ“１０”）を登録する。一方、ＮＯの場合には、Ｓ８に進む。
【００３４】
Ｓ８は、テスト押印スイッチ押下あるいはテスト印刷実施指示のときにテスト押印の指示を後処理機５に行う。
Ｓ９は、Ｓ８でテスト押印の指示を受けた後処理機５がテスト押印する。
【００３５】
Ｓ１０は、押印結果の良否判断を行う。ＯＫの場合には、Ｓ１２でオペレータが印判確認完了スイッチを押下し、Ｓ１３で読み取りＩＤを登録ＩＤとしてセット、即ち図１のＥＥＰＲＯＭ３４に読み取りＩＤ（後処理機５から読み取った例えばＩＤ“１０”）を登録する。一方、Ｓ１０のＮＯの場合には、Ｓ１１で印判の再取付けを行って確認した後、Ｓ１２でオペレータが印判確認完了スイッチを押下し、Ｓ１３で読み取りＩＤを登録ＩＤとしてセット、即ち図１のＥＥＰＲＯＭ３４に読み取りＩＤを登録する。
【００３６】
以上によって、工場出荷時にレーザビームプリンタ（プリンタ装置２）にＩＤ“００（デフォルト値）”を登録し、後処理機５にＩＤ“１０”を登録しておき、これらレーザビームプリンタおよび後処理機５を顧客先に搬入して接続して調整時に、Ｓ７のＹＥＳとなり、後処理機５に登録されている一意のＩＤ“１０”を読み取ってレーザビームプリンタ（プリンタ装置２）のＥＥＰＲＯＭに登録する。これにより、次回以降は、Ｓ５のＹＥＳとなり、印判チェックが行われることとなる。この際、後処理機５に何らかの障害が発生などして他の後処理機５と交換された場合、ＩＤが異なるため、Ｓ５のＮＯとなり、更に、Ｓ６、Ｓ７のＮＯ、Ｓ８、Ｓ９、Ｓ１０のＮＧとなり、印判が間違っていることを確認し、Ｓ１１で印判を再取付けして元の正しい印判に確実に戻させることが可能となる。
【００３７】
次に、図３のフローチャートに示す順番に従い、上位装置から印判をチェックする場合の動作を詳細に説明する。
図３は、本発明の他の動作説明フローチャートを示す。ここで、上位装置、レーザビームプリンタ、後処理機は、図１の上位装置１、プリンタ装置２、後処理機５にそれぞれ対応するものである。
【００３８】
図３において、Ｓ３１は、上位装置１が印判確認指示を通知する。
Ｓ３２は、Ｓ３１で通知を受けたレーザビームプリンタが後処理機の印判確認メッセージを表示する。
【００３９】
Ｓ３３は、テスト押印スイッチを押下あるいはテスト印刷実施指示を行う。これは、Ｓ３１の印判確認メッセージを見たオペレータがテスト押印スイッチを押下してテスト押印指示、あるいは自動的にテスト印刷実施指示してテスト押印指示を行う。
【００４０】
Ｓ３４は、Ｓ３３のテスト押印指示に対応して、後処理機５がテスト押印する。
Ｓ３５は、押印結果の良否判断を行う。ＯＫの場合には、終了する。一方、ＮＯの場合には、Ｓ３６で印判の再取付けを行って確認し、終了する。
【００４１】
以上によって、上位装置から印判確認指示があった場合、印判確認メッセージを表示し、オペレータがテスト押印スイッチを押下、あるいはテスト印刷実施を自動的に指示した場合に、後処理機がテスト押印し、その押印結果がＯＫのときに終了し、ＮＧのときに印判の再取付けを行って正しいもに戻した後、終了する。これらにより、上位装置からの印判確認指示に対応して、レーザビームプリンタ（プリンタ装置２）に印判確認メッセージを表示すると共に、後処理機５にテスト押印させて確認し、ＮＧのときに押印の再取付けを行い、印刷される印判のチェックを行うことが可能となる。
【００４２】
図４は、本発明のＩＤ対応表例を示す。これは、後処理機５のＥＥＰＲＯＭ６４に登録するＩＤ対応表の例であって、図示の下記のように後処理機装置号機に対応づけて印判のＩＤおよび切り替えて使う複数の印判とを登録する。
【００４３】
0004315297.tif 000002
このＩＤ対応表を図１の後処理機５のＥＥＰＲＯＭ６４中に登録することにより、既述した図２のＳ２３のときに当該ＥＥＰＲＯＭ６４から読み出してレーザビームプリンタ（プリンタ装置２）に通知したり、Ｓ３のＳ３４のテスト押印のときに当該ＥＥＰＲＯＭ６４から印判のＩＤを読み出して印刷させて確認したりすることが可能となる。
【００４４】
【発明の効果】
以上説明したように、本発明によれば、押印する後処理機５の交換や印判の交換などがされたときにプリンタ装置２側からチェック可能とすると共に印判テスト印刷させたりすることができ、簡易な構成で印判チェックすることができるようになった。
【図面の簡単な説明】
【図１】本発明の１実施例構成図である。
【図２】本発明の動作説明フローチャートである。
【図３】本発明の他の動作説明フローチャートである。
【図４】本発明のＩＤ対応表例である。
【符号の説明】
１：上位装置
２：プリンタ装置
３：プリンタ装置コントローラ
３１：インタフェース制御ポート
３２：オペレータパネル制御部
３３：後処理機制御ポート
３４：ＥＥＰＲＯＭ
４：オペレータパネル
５：後処理機
６：後処理機コントローラ
６１：インタフェース制御ポート
６２：設定パネル制御部
６３：メカ制御ポート
６４：ＥＥＰＲＯＭ
７：設定パネル
８：後処理機メカ部
【図１】
0004315297.tif 000003
【図２】
0004315297.tif 000004
【図３】
0004315297.tif 000005
【図４】
0004315297.tif 000006